(57)【特許請求の範囲】
【請求項１】
眼鏡のフロント部を構成するフロントフレームにおいて、該フロントフレームは上フレームと下フレームを有し、上フレームは連続した１本の線材から成って上連結部の両側に上リム部を有すと共に上リム部先端にはヨロイ部を形成し、そして、下フレームは連続した１本の線材から成って下連結部の両側に下リム部を有すと共に下リム部先端には止着片を形成し、上記上連結部両端と下連結部両端には正面側及び背面側から切欠きをそれぞれ設け、上記各切欠きを互いに噛み合わせることで上連結部と下連結部を突き合わせて止着し、ヨロイ部には止着片をネジ止めし、そして、ヨロイ先端部はＵ字状に湾曲したツル基部に挟まれると共に、ツルが開く際に所定の開き度で停止するように、上記ヨロイ先端部にはストッパーを形成したことを特徴とする眼鏡のフロントフレーム構造。
【発明の詳細な説明】
【技術分野】
【０００１】
本発明は眼鏡のフロント部を１本の線材を曲げ成形した上フレームと下フレームを組み合わせて構成するフロントフレームに関するものである。
【背景技術】
【０００２】
メガネフレームといってもその形態は色々存在する。しかしその基本形態はレンズが嵌るフロント部と２本のツルで構成している。フロント部を構成するフロントフレームには両リムが設けられ、該リムにレンズが嵌り、そして、フロント部の両側には蝶番等の継手を介してツルが折畳み出来るように取付けられている。
【０００３】
図８は最も一般的なメガネフレームを示している具体例である。フロント部（イ）を構成するフロントフレームは両リム（ロ）、（ロ）が連結部材（ハ）にて連結され、リム（ロ）、（ロ）の外側にはヨロイ（ニ）、（ニ）が連結されている。
すなわち、リム（ロ）、（ロ）は連結部材（ハ）の両先端にロウ付けされ、ヨロイ（ニ）、（ニ）はリム（ロ）、（ロ）にロウ付けされている。
【０００４】
このように、金属製のメガネフレームのフロント部を構成するフロントフレームは各部品（パーツ）をロウ付けして組み立てている。ところで、ロウ付けする際には各パーツを正しく位置決めしなくてはならず、またロウ付けが不備であるならば、剥がれてしまうといった問題が発生する。さらに、金属によってはロウ付けが出来ない場合もある。
【０００５】
一方、ロウ付けすることなくフロントフレームを構成した技術は従来においても知られている。例えば、特開２０１０−１０２０３９号に係る「眼鏡のフロントフレーム」は、ロウ付けが不要で、素材としてアルミも使用可能な眼鏡のフロントフレームである。
すなわち、レンズを囲んで固定する２つのリムと、２つのリムの間に設けられたブリッジとを有する眼鏡のフロントフレームにおいて、ブリッジを上下に分割し、リムの上枠に連続する上ブリッジと、リムの下枠に連続する下ブリッジとを設け、上ブリッジと下ブリッジとを、螺合手段を介して固定している。
【０００６】
このフロントフレームは一体成形され、中央の連結部（ブリッジ）が分割した構造であり、レンズをリムに嵌める際には中央のブリッジに螺合しているネジを弛めて行われるが、該フロントフレームの製作コストは高く成ってしまう。しかも、スリムなフロントフレームを構成することが出来ず、デザイン性も良くない。
【特許文献１】特開２０１０−１０２０３９号に係る「眼鏡のフロントフレーム」
【発明の開示】
【発明が解決しようとする課題】
【０００７】
このように、従来の眼鏡のフロントフレームには上記のごとき問題がある。本発明が解決しようとする課題はこの問題点であり、あくまでも線材を用いて構成し、ロウ付けすることなく組み立てることが出来るフロントフレーム構造を提供する。
【課題を解決するための手段】
【０００８】
本発明に係る眼鏡のフロントフレームは上フレームと下フレームを組み合せて構成し、レンズが嵌る両リムは連結部を介して左右対称に配置される。フロントフレームとしての基本構造は従来の眼鏡と同じである。本発明では、上フレームは１本の連続した線材であって、中央に設けた上連結部の両側に上リム部を形成している。同じく、下フレームも１本の連続した線材であって、中央に設けた下連結部の両側に下リム部を形成している。
【０００９】
そして、上フレームの両先端にはヨロイ部又は止着片を形成し、下フレームの両先端には止着片又はヨロイ部を形成している。
ところで、上フレームと下フレームとは互いに組み合ってフロントフレームが構成されるが、この場合、上連結部及び下連結部は互いに突き合わされて係合し、そして、ヨロイ部には止着片がネジ止めされて連結する。逆に上連結部と下連結部をネジ止めし、ヨロイ部と止着片を互いに係合することも出来る。
【００１０】
そこで、上連結部の両側端と成る上リム部との境界には正面側と背面側に切欠きを有し、同じく下連結部の両側端と成る下リム部との境界には背面側と正面側に切欠きを有している。したがって、上記切欠きが互いに係合することで上連結部と下連結部は互いに突き合わされて連結される。
また、止着片をヨロイ部に切欠きを形成することで互いに係合する場合もある。そして、ヨロイ部の先端には継手を介してツルが折り畳み出来るように取付けられている。ここで、上記継手構造は特に限定せず、単なる軸ネジを用いる場合や一般的な蝶番を用いることもある。
【発明の効果】
【００１１】
本発明に係る眼鏡のフロントフレームは上フレームと下フレームを組み合せた構造であり、上連結部と下連結部に形成した切欠きを互いに係合することで連結し、そして、両先端に設けた止着片をヨロイ部にネジ止めしている。したがって、ロウ付けしてフロントフレームを構成しない為に、組立工程は簡略され、コストも安くなる。すなわち、上フレームと下フレームは金型を用いて正確に成形することで製作することが出来る。
【００１２】
ロウ付けにて組み立てる場合には、各ピースを正しく位置決めしなくてはならないが、本発明では両上リム部と上連結部及びヨロイ部を備えた上フレーム、及び両下リム部と下連結部及び止着片を備えた下フレームはプレス成形される為に、これら各部の形状寸法は正確であり、上下連結部に形成した切欠きを互いに係合すると共に、止着片をヨロイ部にネジ止めすることで所定のフロントフレームが完成する。そして、上リム部と下リム部で構成されるリムには、ヨロイ部に固定している止着片のネジを弛めることでレンズを嵌めることが出来る。
【図面の簡単な説明】
【００１３】
【図１】本発明のフロントフレームを備えた眼鏡を示す平面図。
【図２】本発明のフロントフレームを備えた眼鏡を示す正面図。
【図３】本発明のフロントフレームを備えた眼鏡を示す側面図。
【図４】上フレームと下フレームを分離した場合。
【図５】上連結部を示す具体例。
【図６】下連結部を示す具体例。
【図７】上連結部と下連結部が噛み合って構成した連結部。
【図８】従来の一般的なメガネフレーム。
【発明を実施するための形態】
【００１４】
図１、図２、図３は本発明に係るフロントフレームを備えた眼鏡を示す実施例であり、図１は平面図、図２は正面図、図３は側面図をそれぞれ表わしている。同図において、１はフロント部を構成するフロントフレーム、２，２はツルを表し、ツル２，２はフロントフレーム１の両側に取付けられ、軸ネジ３，３を介して折畳むことが出来る。このように、眼鏡としての基本構造は従来と同じであり、連結部４の両側にはリム５，５が設けられ、リム５，５の外側にはヨロイ部６，６を有している。
【００１５】
ところで、本発明のフロントフレーム１は上フレーム７と下フレーム８で構成し、上フレーム７と下フレーム８が互いに組み合わされている。図４はそれぞれ分離した上フレーム７と下フレーム８を表している。上フレーム７は連続した１本の線材で、上連結部９の両側に上リム部１０，１０を有し、上リム部１０，１０の先端にはヨロイ部６，６を設けている。
【００１６】
下フレーム８は連続した１本の線材で、下連結部１１の両側に下リム部１２，１２を有し、下リム部１２，１２の先端には止着片１３，１３を設けている。図４に示す上フレーム７と下フレーム８を組み合わせることで、図２に示すフロントフレーム１が構成される。下連結部１１は上連結部９の上側に配置して係合し、ヨロイ部６，６の下側に止着片１３，１３を突き合わせてネジ止めされる。
【００１７】
図５は上フレーム７の上連結部９を表している平面図と正面図である。該上連結部９の両側には切欠き１４ａ，１４ｂを設け、一方の切欠き１４ａは上連結部９の正面側から切欠かれ、他方の切欠き１４ｂは背面側から切欠かれている。図６は下フレーム８の下連結部１１を表している平面図と正面図である。該下連結部１１の両側には切欠き１５ａ，１５ｂを設け、一方の切欠き１５ａは下連結部１１の背面側から切欠かれ、他方の切欠き１５ｂは正面側から切欠かれている。
【００１８】
図７は上連結部９と下連結部１１が突き合って構成した連結部４を示す拡大図を示している。同図に示すように上連結部９は下連結部１１の下側に位置し、上下連結部９，１１の両端部に形成した切欠き１４ａと１５ａ、切欠き１４ｂと１５ｂが互いに噛み合っている。すなわち、切欠き１４ａと切欠き１５ａが噛み合い、切欠き１４ｂと切欠き１５ｂが噛み合うことで、上連結部９と下連結部１１は正しき位置決めされて突き合わされ、連結する。
【００１９】
したがって、上連結部９と下連結部１１はロウ付けされることなく互いに止着される。そして、上連結部９と下連結部１１が止着されたところで、上フレーム７の両先端に設けたヨロイ部６，６に下フレーム８の両先端に形成した止着片１３，１３を突き合わせてネジ止めする。従って、上リム部１０と下リム部１２にてリング状のリム５が形成され、このリム５にはレンズが嵌められる。止着片１３をヨロイ部６に固定するネジを僅かに弛めてリム５にレンズを嵌めて完成する。
【００２０】
ヨロイ部６，６の先端には軸ネジ３，３を介してツル２，２が取付けられている。本発明では、ツル２の継手構造を特に限定するものではないが、ツル基部１６をＵ字状に湾曲してヨロイ先端部１７を挟み込んでいる。そして、この状態で上記軸ネジ３によって連結した構造と成っている。また、ツル２が開いた際に所定の開き度にて停止するように基部１６がヨロイ先端部に形成したストッパー１８に当たるようにしている。
【符号の説明】
【００２１】
１   フロントフレーム
２   ツル
３   軸ネジ
４   連結部
５   リム
６   ヨロイ部
７   上フレーム
８   下フレーム
９   上連結部
10   上リム部
11   下連結部
12   下リム部
13   止着片
14   切欠き
15   切欠き
16   基部
17   先端部
18   ストッパー
【図１】
0006435121.tif 000002
【図２】
0006435121.tif 000003
【図３】
0006435121.tif 000004
【図４】
0006435121.tif 000005
【図５】
0006435121.tif 000006
【図６】
0006435121.tif 000007
【図７】
0006435121.tif 000008
【図８】
0006435121.tif 000009